【手続補正書】
【提出日】令和3年10月7日(2021.10.7)
【手続補正１】
【補正対象書類名】特許請求の範囲
【補正対象項目名】全文
【補正方法】変更
【補正の内容】
【特許請求の範囲】
【請求項１】
ユーザ機器（ＵＥ）によって実行される方法であって、
複数のリソースセットから、ランダムアクセスプロシージャに関連付けられたメッセージの肯定応答を送信するためのリソースが識別されるリソースセットを識別することと、
前記リソースセットから前記リソースを識別する情報を決定すること、
ここにおいて、前記リソースを識別する前記情報は、前記メッセージに関連付けられたダウンリンク制御情報（ＤＣＩ）の３ビットおよび物理ダウンリンクチャネル（ＰＤＣＣＨ）の制御チャネルインデックスから導出された１ビットに少なくとも部分的に基づいて決定される、と、
前記ＵＥによって、前記リソースを識別する前記情報に少なくとも部分的に基づいて前記肯定応答を送信することと
を備える、方法。
【請求項２】
前記リソースを識別する前記情報は、さらに、物理ブロードキャストチャネル（ＰＢＣＨ）中で前記ＵＥによって受信されたパラメータに少なくとも部分的に基づいて決定される、
請求項１に記載の方法。
【請求項３】
前記リソースセットは、前記ＵＥによって受信された、残存最小システム情報（ＲＭＳＩ）中に含まれるパラメータに少なくとも部分的に基づいて決定される、
請求項１に記載の方法。
【請求項４】
前記リソースを識別する前記情報は、さらに、前記メッセージに関連付けられた許可に少なくとも部分的に基づいて決定される、
請求項１に記載の方法。
【請求項５】
前記肯定応答は、前記ランダムアクセスプロシージャに関連付けられた１ビットオンオフキーイング技法に関連付けられる、
請求項１に記載の方法。
【請求項６】
前記リソースを識別する前記情報は、前記リソースの持続時間を識別する情報を含む、
請求項１に記載の方法。
【請求項７】
前記リソースの前記持続時間を識別する前記情報は、メッセージの前記シーケンス中の他のメッセージの持続時間に少なくとも部分的に基づいて決定され、
前記他のメッセージの前記持続時間は、前記他のメッセージに関連付けられたリソースに少なくとも部分的に基づいて識別される、
請求項６に記載の方法。
【請求項８】
前記リソースの前記持続時間を識別する前記情報は、メッセージの前記シーケンス中の他のメッセージに関連付けられたプリアンブルの持続時間またはクラスに少なくとも部分的に基づいて決定され、
前記他のメッセージに関連付けられた前記プリアンブルの前記持続時間または前記クラスは、前記他のメッセージに関連付けられたリソース、または前記他のメッセージのペイロードに少なくとも部分的に基づいて決定される、
請求項６に記載の方法。
【請求項９】
前記リソースの前記持続時間を識別する前記情報は、前記肯定応答の開始ロケーションに少なくとも部分的に基づいて決定される、またはメッセージの前記シーケンス中の他のメッセージ中に含まれる要求に少なくとも部分的に基づいて決定され、
前記要求は、前記他のメッセージのペイロードに少なくとも部分的に基づいて決定される、
請求項６に記載の方法。
【請求項１０】
前記リソースを識別する前記情報は、前記リソースの開始ロケーションを識別する情報を含む、
請求項１に記載の方法。
【請求項１１】
前記開始ロケーションを識別する前記情報は、
前記メッセージに関連付けられたダウンリンク制御情報（ＤＣＩ）、または
前記メッセージのペイロード中に含まれる情報
のうちの少なくとも１つに少なくとも部分的に基づいて決定される、請求項１０に記載の方法。
【請求項１２】
前記開始ロケーションを識別する前記情報は、物理ダウンリンク共有チャネル（ＰＤＳＣＨ）に少なくとも部分的に基づいて決定される、
請求項１０に記載の方法。
【請求項１３】
前記リソースを識別する前記情報は、前記リソースに関連付けられたリソースブロックインデックス、前記リソース中に含まれるリソースブロックの数、または前記リソースに関連付けられたシーケンスインデックスを識別する情報を含む、
請求項１に記載の方法。
【請求項１４】
前記リソースを識別する前記情報は、前記リソースに関連付けられたサイクリックシフトインデックスを識別する情報を含む、
請求項１に記載の方法。
【請求項１５】
ワイヤレス通信のための装置であって、
複数のリソースセットから、ランダムアクセスプロシージャに関連付けられたメッセージの肯定応答を送信するためのリソースが識別されるリソースセットを識別する手段と、
前記リソースセットから前記リソースを識別する情報を決定するための手段、
ここにおいて、前記リソースを識別する前記情報は、前記メッセージに関連付けられたダウンリンク制御情報（ＤＣＩ）の３ビット及び物理ダウンリンクチャネル（ＰＤＣＣＨ）の制御チャネルインデックスから導出された１ビット
に少なくとも部分的に基づいて決定される、と、
前記リソースを識別する前記情報に少なくとも部分的に基づいて前記肯定応答を送信するための手段と
を備える、装置。
【手続補正２】
【補正対象書類名】明細書
【補正対象項目名】０１４３
【補正方法】変更
【補正の内容】
【０１４３】
[00154]本明細書で使用されるいかなる要素、行為、または命令も、明示的にそのように説明されない限り、重要または必須と解釈されるべきではない。また、本明細書で使用される冠詞「ａ」および「ａｎ」は、１つまたは複数の項目を含むものであり、「１つまたは複数」と互換的に使用され得る。さらに、本明細書で使用される「セット」および「グループ」という用語は、１つまたは複数の項目（たとえば、関係する項目、無関係の項目、関係する項目と無関係の項目の組合せなど）を含むものであり、「１つまたは複数」と互換的に使用され得る。１つの項目のみが意図される場合、「１つ」という用語または同様の言い回しが使用される。また、本明細書で使用される「有する（ｈａｓ）」、「有する（ｈａｖｅ）」、「有する（ｈａｖｉｎｇ）」などの用語は、オープンエンド用語であるものとする。さらに、「に基づく」という句は、別段に明記されていない限り、「に少なくとも部分的に基づく」を意味するものである。
以下に、本願出願の当初の特許請求の範囲に記載された発明を付記する。
［Ｃ１］
ユーザ機器（ＵＥ）によって、ランダムアクセスプロシージャに関連付けられたメッセージの肯定応答を送信するためのリソースを識別する情報を決定すること、
ここにおいて、前記リソースを識別する前記情報は、
前記ランダムアクセスプロシージャに関連付けられた周波数帯域、
前記ランダムアクセスプロシージャに関連付けられたメッセージのシーケンス中の少なくとも１つのメッセージに関連付けられたリソース、
前記ランダムアクセスプロシージャに関連付けられたメッセージの前記シーケンス中の少なくとも１つのメッセージのペイロード、または
前記ランダムアクセスプロシージャに関連付けられたメッセージの前記シーケンス中の他のメッセージに関連付けられた許可
のうちの少なくとも１つに少なくとも部分的に基づいて決定される、と、
前記ＵＥによって、前記リソースを識別する前記情報に少なくとも部分的に基づいて前記肯定応答を送信することと
を備える、方法。
［Ｃ２］
前記リソースを識別する前記情報は、さらに、物理ブロードキャストチャネル（ＰＢＣＨ）中で前記ＵＥによって受信されたパラメータに少なくとも部分的に基づいて決定される、
Ｃ１に記載の方法。
［Ｃ３］
前記リソースを識別する前記情報は、さらに、前記ＵＥによって受信された、パラメータが含まれる残存最小システム情報（ＲＭＳＩ）に少なくとも部分的に基づいて決定される、
Ｃ１に記載の方法。
［Ｃ４］
前記リソースを識別する前記情報は、さらに、前記メッセージに関連付けられた許可に少なくとも部分的に基づいて決定される、
Ｃ１に記載の方法。
［Ｃ５］
前記リソースを識別する前記情報は、さらに、前記メッセージに関連付けられたダウンリンク制御情報（ＤＣＩ）に少なくとも部分的に基づいて決定される、
Ｃ１に記載の方法。
［Ｃ６］
前記肯定応答は、前記ランダムアクセスプロシージャに関連付けられた１ビットオンオフキーイング技法に関連付けられる、
Ｃ１に記載の方法。
［Ｃ７］
前記リソースを識別する前記情報は、前記リソースの持続時間を識別する情報を含む、
Ｃ１に記載の方法。
［Ｃ８］
前記リソースの前記持続時間を識別する前記情報は、メッセージの前記シーケンス中の他のメッセージの持続時間に少なくとも部分的に基づいて決定され、
前記他のメッセージの前記持続時間は、前記他のメッセージに関連付けられたリソースに少なくとも部分的に基づいて識別される、
Ｃ７に記載の方法。
［Ｃ９］
前記リソースの前記持続時間を識別する前記情報は、メッセージの前記シーケンス中の他のメッセージに関連付けられたプリアンブルの持続時間またはクラスに少なくとも部分的に基づいて決定され、
前記他のメッセージに関連付けられた前記プリアンブルの前記持続時間または前記クラスは、前記他のメッセージに関連付けられたリソース、または前記他のメッセージのペイロードに少なくとも部分的に基づいて決定される、
Ｃ７に記載の方法。
［Ｃ１０］
前記リソースの前記持続時間を識別する前記情報は、前記肯定応答の開始ロケーションに少なくとも部分的に基づいて決定される、
Ｃ７に記載の方法。
［Ｃ１１］
前記リソースの前記持続時間を識別する前記情報は、メッセージの前記シーケンス中の他のメッセージ中に含まれる要求に少なくとも部分的に基づいて決定され、
前記要求は、前記他のメッセージのペイロードに少なくとも部分的に基づいて決定される、
Ｃ７に記載の方法。
［Ｃ１２］
前記リソースを識別する前記情報は、前記リソースの開始ロケーションを識別する情報を含む、
Ｃ１に記載の方法。
［Ｃ１３］
前記開始ロケーションを識別する前記情報は、
前記メッセージに関連付けられたダウンリンク制御情報（ＤＣＩ）、または
前記メッセージのペイロード中に含まれる情報
のうちの少なくとも１つに少なくとも部分的に基づいて決定される、Ｃ１２に記載の方法。
［Ｃ１４］
前記開始ロケーションを識別する前記情報は、物理ダウンリンク共有チャネル（ＰＤＳＣＨ）に少なくとも部分的に基づいて決定される、
Ｃ１２に記載の方法。
［Ｃ１５］
前記リソースを識別する前記情報は、前記リソースに関連付けられたリソースブロックインデックスを識別する情報を含む、
Ｃ１に記載の方法。
［Ｃ１６］
前記リソースを識別する前記情報は、前記リソース中に含まれるリソースブロックの数を識別する情報を含む、
Ｃ１に記載の方法。
［Ｃ１７］
前記リソースを識別する前記情報は、前記リソースに関連付けられたシーケンスインデックスを識別する情報を含む、
Ｃ１に記載の方法。
［Ｃ１８］
前記リソースを識別する前記情報は、前記リソースに関連付けられたサイクリックシフトインデックスを識別する情報を含む、
Ｃ１に記載の方法。
［Ｃ１９］
ワイヤレス通信のためのユーザ機器（ＵＥ）であって、
メモリと、
前記メモリに結合された１つまたは複数のプロセッサと
を備え、前記メモリおよび前記１つまたは複数のプロセッサは、
ランダムアクセスプロシージャに関連付けられたメッセージの肯定応答を送信するためのリソースを識別する情報を決定すること、
ここにおいて、前記リソースを識別する前記情報が、
前記ランダムアクセスプロシージャに関連付けられた周波数帯域、
前記ランダムアクセスプロシージャに関連付けられたメッセージのシーケンス中の少なくとも１つのメッセージに関連付けられたリソース、
前記ランダムアクセスプロシージャに関連付けられたメッセージの前記シーケンス中の少なくとも１つのメッセージのペイロード、または
前記ランダムアクセスプロシージャに関連付けられたメッセージの前記シーケンス中の他のメッセージに関連付けられた許可
のうちの少なくとも１つに少なくとも部分的に基づいて決定される、と、
前記リソースを識別する前記情報に少なくとも部分的に基づいて前記肯定応答を送信することと
を行うように構成された、ユーザ機器（ＵＥ）。
［Ｃ２０］
前記リソースを識別する前記情報は、さらに、前記ＵＥによって受信された、パラメータが含まれる残存最小システム情報（ＲＭＳＩ）に少なくとも部分的に基づいて決定される、
Ｃ１９に記載のＵＥ。
［Ｃ２１］
前記リソースを識別する前記情報は、さらに、前記メッセージに関連付けられた許可に少なくとも部分的に基づいて決定される、
Ｃ１９に記載のＵＥ。
［Ｃ２２］
前記リソースを識別する前記情報は、さらに、前記メッセージに関連付けられたダウンリンク制御情報（ＤＣＩ）に少なくとも部分的に基づいて決定される、
Ｃ１９に記載のＵＥ。
［Ｃ２３］
ワイヤレス通信のための装置であって、
ランダムアクセスプロシージャに関連付けられたメッセージの肯定応答を送信するためのリソースを識別する情報を決定するための手段、
ここにおいて、前記リソースを識別する前記情報は、
前記ランダムアクセスプロシージャに関連付けられた周波数帯域、
前記ランダムアクセスプロシージャに関連付けられたメッセージのシーケンス中の少なくとも１つのメッセージに関連付けられたリソース、
前記ランダムアクセスプロシージャに関連付けられたメッセージの前記シーケンス中の少なくとも１つのメッセージのペイロード、または
前記ランダムアクセスプロシージャに関連付けられたメッセージの前記シーケンス中の他のメッセージに関連付けられた許可
のうちの少なくとも１つに少なくとも部分的に基づいて決定される、と、
前記リソースを識別する前記情報に少なくとも部分的に基づいて前記肯定応答を送信するための手段と
を備える、装置。
［Ｃ２４］
前記リソースを識別する前記情報は、さらに、前記装置によって受信された、パラメータが含まれる残存最小システム情報（ＲＭＳＩ）に少なくとも部分的に基づいて決定される、
Ｃ２３に記載の装置。
［Ｃ２５］
前記リソースを識別する前記情報は、さらに、前記メッセージに関連付けられた許可に少なくとも部分的に基づいて決定される、
Ｃ２３に記載の装置。
［Ｃ２６］
前記リソースを識別する前記情報は、さらに、前記メッセージに関連付けられたダウンリンク制御情報（ＤＣＩ）に少なくとも部分的に基づいて決定される、
Ｃ２３に記載の装置。
［Ｃ２７］
ワイヤレス通信のための１つまたは複数の命令を記憶する非一時的コンピュータ可読媒体であって、前記１つまたは複数の命令は、
ユーザ機器（ＵＥ）の１つまたは複数のプロセッサによって実行されたとき、前記１つまたは複数のプロセッサに、
ランダムアクセスプロシージャに関連付けられたメッセージの肯定応答を送信するためのリソースを識別する情報を決定すること、
ここにおいて、前記リソースを識別する前記情報は、
前記ランダムアクセスプロシージャに関連付けられた周波数帯域、
前記ランダムアクセスプロシージャに関連付けられたメッセージのシーケンス中の少なくとも１つのメッセージに関連付けられたリソース、
前記ランダムアクセスプロシージャに関連付けられたメッセージの前記シーケンス中の少なくとも１つのメッセージのペイロード、または
前記ランダムアクセスプロシージャに関連付けられたメッセージの前記シーケンス中の他のメッセージに関連付けられた許可
のうちの少なくとも１つに少なくとも部分的に基づいて決定される、と、
前記リソースを識別する前記情報に少なくとも部分的に基づいて前記肯定応答を送信することと
を行わせる１つまたは複数の命令を備える、非一時的コンピュータ可読媒体。
［Ｃ２８］
前記リソースを識別する前記情報は、さらに、前記ＵＥによって受信された、パラメータが含まれる残存最小システム情報（ＲＭＳＩ）に少なくとも部分的に基づいて決定される、
Ｃ２７に記載の非一時的コンピュータ可読媒体。
［Ｃ２９］
前記リソースを識別する前記情報は、さらに、前記メッセージに関連付けられた許可に少なくとも部分的に基づいて決定される、
Ｃ２７に記載の非一時的コンピュータ可読媒体。
［Ｃ３０］
前記リソースを識別する前記情報は、さらに、前記メッセージに関連付けられたダウンリンク制御情報（ＤＣＩ）に少なくとも部分的に基づいて決定される、
Ｃ２７に記載の非一時的コンピュータ可読媒体。